(57)【要約】【課題】脚体の開閉と連動して床天板を展開及び格納できるようにした脚立式作業台を提供する。【解決手段】第１脚体と第２脚体の開閉動作に連動して床天板(5)を横向き姿勢と縦向き姿勢の間で姿勢変更する連動機構(17)を設け、床天板(5)の基端部と第１脚体(2)を相互に横軸廻りに回動自在に枢着する枢着手段(18)と、該床天板(5)と第２脚体(3)を相互に移動自在に連結する移動連結手段(19)を構成し、前記移動連結手段(19)は、床天板(5)と第２脚体(3)の一方に設けた軸手段(26)と、他方に設けたガイド手段(25)を備え、床天板(5)と第２脚体(3)の交差角度の変化に追従して軸手段(26)をガイド手段(25)に沿って移動させるように構成されている。【選択図】図１
2015067980.tif 000002
【特許請求の範囲】
【請求項１】
それぞれ左右に支柱を備えた第１脚体と第２脚体を開閉可能に枢結し、両脚体に架設した床天板の上方に作業空間を形成して成る脚立式作業台において、
前記両脚体(2)(3)の開脚動作及び閉脚動作に連動して床天板(5)を横向き姿勢と縦向き姿勢の間で姿勢変更する連動機構(17)を設け、
前記連動機構(17)は、床天板(5)の基端部と第１脚体(2)を相互に横軸廻りに回動自在に枢着する枢着手段(18)と、該床天板(5)と第２脚体(3)を相互に移動自在に連結する移動連結手段(19)を構成しており、
前記移動連結手段(19)は、床天板(5)と第２脚体(3)の一方に設けた軸手段(26)と、他方に設けたガイド手段(25)を備え、床天板(5)と第２脚体(3)の交差角度の変化に追従して軸手段(26)をガイド手段(25)に沿って移動させるように構成され、
前記軸手段(26)とガイド手段(25)は、両脚体(2)(3)を開脚したとき、軸手段(26)をガイド手段(25)の一端部に向けて移動することにより、床天板(5)を横向き姿勢に向けて回動させ、両脚体(2)(3)を閉脚したとき、軸手段(26)をガイド手段(25)の他端部に向けて移動することにより、床天板(5)を縦向き姿勢に向けて回動させるように構成して成ることを特徴とする脚立式作業台。
【請求項２】
前記枢着手段(18)は、床天板の基端部から上下方向に突設された枢支ブラケット(20)の先端部を第１脚体(2)に枢着しており、
両脚体(2)(3)を閉脚したとき、前記枢支ブラケット(20)の回転半径上で床天板(5)を縦向き姿勢とすることにより、該床天板(5)を第２脚体(3)の左右支柱(3a,3a)間に格納するように構成して成ることを特徴とする請求項１に記載の脚立式作業台。
【請求項３】
床天板(5)の先端部にロック手段(28)を設けており、
該床天板(5)を横向き姿勢としたとき前記ロック手段(28)を係脱自在に係止する第１係止手段(29)を第２脚体(3)に設けると共に、該床天板(5)を縦向き姿勢としたとき前記ロック手段(28)を係脱自在に係止する第２係止手段(30)を第１脚体(2)に設けて成ることを特徴とする請求項１又は２に記載の脚立式作業台。
【請求項４】
開脚状態において第１脚体(2)及び第２脚体(3)の左右支柱(2a,2a)(3a,3a)を床天板(5)の上方に延長することにより延長柱部(2b,2b)(3b,3b)を形成し、前記延長柱部に前記作業空間の少なくとも三方を囲む左右フレーム(9)と交差フレーム(10)を備えた枠体(6)を設けると共に、第１脚体(2)と第２脚体(3)の間で相互に対向する延長柱部(2b)(3b)の上端部を前記枠体(6)の左右フレーム(9)に対して第１枢結手段(11)と第２枢結手段(12)により枢着しており、
前記第１枢結手段(11)の枢軸位置(P1)と第２枢軸手段(12)の枢軸位置(P2)は、左右フレームに沿う方向に関して所定距離(L1)をあけて離間すると共に、左右フレームに交差する方向に関して所定距離(L2)をあけて離間するように配置されており、
開脚状態から一方の脚体(2)と共に第１枢結手段(11)を上昇させたとき、該第１枢結手段(11)が左右フレーム(9)を押し上げることにより、枠体(6)の左右フレーム(9)と一対の延長柱部(2b)(3b)を平行に折り畳んだ状態で両脚体(2)(3)を閉脚するように構成して成ることを特徴とする１、２、３又は４に記載の脚立式作業台。
【発明の詳細な説明】
【技術分野】
【０００１】
本発明は、脚体の開閉と連動して床天板を展開及び格納できるようにした脚立式作業台に関する。
【背景技術】
【０００２】
従来、脚立式作業台は、それぞれ左右に支柱を備えた第１脚体と第２脚体を相互に上部の枢結手段を介して開閉可能に枢結し、両脚体に床天板を架設すると共に該床天板の上方に前記支柱の延長柱部を延設することにより作業空間を形成している。
【０００３】
第１脚体は、左右の支柱を踏桟により連結した昇降脚を構成し、第２脚体は、左右の支柱を連結桟により連結した非昇降脚を構成している。従って、作業者は、昇降脚から作業空間に昇降し、床天板の上で高所作業を行うことができる。この際、作業空間を囲む枠体を設けておけば、作業者の作業の安全性が確保される。
【先行技術文献】
【特許文献】
【０００４】
【特許文献１】登録実用新案第３１８０６２９号公報
【発明の概要】
【発明が解決しようとする課題】
【０００５】
脚立式作業台は、第１脚体と第２脚体の上端部を枢着した枢結手段により開閉可能とされており、両脚体を下方に向けて広がるように開脚すると、両脚体の間に架設された床天板が横向き姿勢とされ、高所作業を可能にする。作業の後、両脚体を平行となるように閉脚すると、床天板が縦向き姿勢とされ、両脚体の間に格納される。
【０００６】
特許文献１の場合、第１脚体に床天板の基端部を軸着し、第２脚体に床天板の下面を支持するステイを軸着しており、ステイの先端を床天板に枢結することにより、リンク機構を構成している。従って、両脚体を開閉したとき、ステイが床天板に対して反転しながら回動する。開脚状態において、ステイは、水平姿勢とされ、床天板の下面に重ねられる。閉脚状態において、床天板は、第１脚体に軸着された基端部から先端部が上向きとなる縦向き姿勢とされ、同様に、ステイも第２脚体から上向きの縦向き姿勢とされる。
【０００７】
しかしながら、このようなステイにより構成したリンク機構の場合、開脚状態では、床天板とステイが水平姿勢で平行に重なり合い、両脚体の間で突っ張っているので、その状態から両脚体を閉脚方向に回動させることはできない。従って、閉脚するためには、先ず、床天板を上向き姿勢に向けて持ち上げ、ステイと床天板を屈折方向に導いた後、両脚体を閉脚方向に回動する必要があり、操作性に難点がある。
【０００８】
そして、閉脚状態においては、第１脚体と第２脚体の間に、縦向き姿勢で重なり合う床天板とステイが介在するので、両脚体を近接させることが困難である。しかも、閉脚状態から開脚する場合は、上記の開脚状態から閉脚する場合とは異なり、両脚体を広げるだけで床天板とステイが展開可能に構成されているので、閉脚した脚立式作業台を作業者が運搬中に、不慮に両脚体が開脚する危険がある。
【０００９】
更に、特許文献１の場合、枠体の折り畳み機構と、両脚体の枢結手段による開閉機構を別々に構成しているので、閉脚に際して、両脚体を閉脚する作業と、枠体を水平姿勢から鉛直姿勢に姿勢変更させる作業の２作業が必要となり、同様に開脚に際しても、両脚体を開脚する作業と、枠体を鉛直姿勢から水平姿勢に姿勢変更させる作業の２作業が必要とされており、煩雑であるという問題もある。
【課題を解決するための手段】
【００１０】
本発明は、上記課題を解決した脚立式作業台を提供するものであり、その手段として構成したところは、それぞれ左右に支柱を備えた第１脚体と第２脚体を開閉可能に枢結し、両脚体に架設した床天板の上方に作業空間を形成して成る脚立式作業台において、前記両脚体の開脚動作及び閉脚動作に連動して床天板を横向き姿勢と縦向き姿勢の間で姿勢変更する連動機構を設け、前記連動機構は、床天板の基端部と第１脚体を相互に横軸廻りに回動自在に枢着する枢着手段と、該床天板と第２脚体を相互に移動自在に連結する移動連結手段を構成しており、前記移動連結手段は、床天板と第２脚体の一方に設けた軸手段と、他方に設けたガイド手段を備え、床天板と第２脚体の交差角度の変化に追従して軸手段をガイド手段に沿って移動させるように構成され、前記軸手段とガイド手段は、両脚体を開脚したとき、軸手段をガイド手段の一端部に向けて移動することにより、床天板を横向き姿勢に向けて回動させ、両脚体を閉脚したとき、軸手段をガイド手段の他端部に向けて移動することにより、床天板を縦向き姿勢に向けて回動させるように構成して成る点にある。
【００１１】
前記枢着手段は、床天板の基端部から上下方向に突設された枢支ブラケットの先端部を第１脚体に枢着し、両脚体を閉脚したとき、前記枢支ブラケットの回転半径上で床天板を縦向き姿勢とすることにより、該床天板を第２脚体の左右支柱間に格納するように構成することが好ましい。
【００１２】
本発明の好ましい実施形態は、床天板の先端部にロック手段を設けており、該床天板を横向き姿勢としたとき前記ロック手段を係脱自在に係止する第１係止手段を第２脚体に設けると共に、該床天板を縦向き姿勢としたとき前記ロック手段を係脱自在に係止する第２係止手段を第１脚体に設けている。
【００１３】
更に、本発明の好ましい実施形態は、開脚状態において第１脚体及び第２脚体の左右支柱を床天板の上方に延長することにより延長柱部を形成し、前記延長柱部に前記作業空間の少なくとも三方を囲む左右フレームと交差フレームを備えた枠体を設けると共に、第１脚体と第２脚体の間で相互に対向する延長柱部の上端部を前記枠体の左右フレームに対して第１枢結手段と第２枢結手段により枢着しており、前記第１枢結手段の枢軸位置と第２枢軸手段の枢軸位置は、左右フレームに沿う方向に関して所定距離をあけて離間すると共に、左右フレームに交差する方向に関して所定距離をあけて離間するように配置されており、開脚状態から一方の脚体と共に第１枢結手段を上昇させたとき、該第１枢結手段が左右フレームを押し上げることにより、枠体の左右フレームと一対の延長柱部を平行に折り畳んだ状態で両脚体を閉脚するように構成している。
【発明の効果】
【００１４】
請求項１に記載の本発明によれば、第１脚体２と第２脚体３の開閉動作に連動して床天板５を横向き姿勢と縦向き姿勢の間で姿勢変更可能とした脚立式作業台が提供される。特に、床天板５は、横向き姿勢とされた開脚状態から閉脚する際に、床天板５を人為的に姿勢変更方向に持ち上げる等の動作を必要とせず、閉脚動作の初動から縦向き姿勢の方向に姿勢変更するので、閉脚操作が頗る簡単容易である。しかも、床天板５の連動機構１７は、リンク機構等を備えていないので、両脚体２、３を可及的近接させたコンパクトな閉脚状態が可能になる。
【００１５】
請求項２に記載の本発明によれば、床天板５の基端部から上下方向に突設した枢支ブラケット２０の先端部を第１脚体２に枢着しているので、閉脚時に、前記枢支ブラケット２０の回転半径Ｒの上で床天板５を縦向き姿勢とすることにより、該床天板５を第２脚体３の左右支柱３ａ、３ａ間にコンパクトに格納することができる。
【００１６】
請求項３に記載の本発明によれば、開脚時には、ロック手段２８を第１係止手段２９に係止することにより、横向き姿勢とされた床天板５により両脚体２、３を閉脚不能な状態に固定保持するので、高所作業の安全を確保することができ、閉脚時には、ロック手段２８を第２係止手段３０に係止することにより、縦向き姿勢とされた床天板５により両脚体２、３を開脚不能な状態に固定保持するので、脚立式作業台の運搬時等に両脚体２、３が不慮に開脚する危険を防止できる。
【００１７】
請求項４に記載の本発明によれば、両脚体２、３を開脚状態から閉脚する際は、一方の脚体２と共に第１枢結手段１１を上昇させるだけで、枠体６により両脚体２、３の支柱２ａ、３ａを平行に折り畳んだ状態に閉脚することが可能であり、反対に、両脚体２、３を閉脚状態から開脚する際は、一方の脚体２と共に第１枢結手段１１を下降させるだけで、枠体６により両脚体２、３を開脚することが可能であり、ワンタッチの作業により、閉脚及び開脚と枠体６の折り畳み及び展開を同時に行うことができるという効果がある。
【図面の簡単な説明】
【００１８】
【図１】本発明の１実施形態に係る脚立式作業台の開脚状態を示す斜視図である。
【図２】本発明の１実施形態に係る脚立式作業台の開脚状態を示す側面図である。
【図３】脚体の支柱における延長柱部と枠体の枢結手段の構造及び作用を示しており、（Ａ）は開脚したときの枢結手段の状態を示す側面図、（Ｂ）は閉脚したときの枢結手段の状態を示す側面図である。
【図４】床天板と両脚体の間における移動連結手段の１実施形態を分解状態で示す斜視図である。
【図５】移動連結手段の１実施形態を示しており、（Ａ）は側面図、（Ｂ）はＡ−Ａ線断面拡大図である。
【図６】移動連結手段の作用を示しており、（Ａ）は閉脚作動時の作用を示す断面図、（Ｂ）は閉脚完了状態を示す断面図である。
【図７】脚立式作業台を開脚状態から閉脚する作業手順と作用を示しており、（Ａ）（Ｂ）（Ｃ）（Ｄ）は作業手順を順に示す側面図である。
【発明を実施するための形態】
【００１９】
以下図面に基づいて本発明の好ましい実施形態を詳述する。
【００２０】
図１及び図２に示すように、脚立式作業台１は、第１脚体２と第２脚体３を相互に上部の枢結手段４を介して開閉可能に枢結しており、両脚体２、３に架設される床天板５と、該床天板５の上方に配置された枠体６を備えている。尚、図１に鎖線で示すように、両脚２、３は、伸縮脚を構成することが好ましい。
【００２１】
第１脚体２は、左右の支柱２ａ、２ａを多段式の踏桟７により連結した昇降脚２Ａを構成し、第２脚体３は、左右の支柱３ａ、３ａを連結桟８により連結した非昇降脚３Ａを構成している。従って、両脚体２、３を開脚した状態で、作業者は、昇降脚２Ａから床天板５の上に昇降することが許され、非昇降脚３Ａからの昇降が禁止されている。
【００２２】
両脚体２、３は、それぞれの支柱２ａ、２ａ及び支柱３ａ、３ａから延びる延長支柱部２ｂ、２ｂと延長柱部３ｂ、３ｂを床天板５の上方に延設しており、床天板５の上方に作業空間を形成する。
【００２３】
前記枠体６は、作業空間の少なくとも三方を囲む左右フレーム９、９と交差フレーム１０を備えている。図例の場合、枠体６は、交差フレーム１０を非昇降脚３Ａの上方に臨ませており、作業空間を昇降脚２Ａに向けて開放しているが、昇降脚２Ａの上方に臨む交差フレームを設けても良い。
【００２４】
このような構成の脚立式作業台１において、第１脚体２と第２脚体３の間で相互に対向する延長柱部２ｂ、３ｂの上端部は、相互に、図３（Ａ）に示すように、左右フレーム９の軸方向に所定間隔をあけて配置され、この一対の延長柱部２ｂ、３ｂの上端部を前記枠体６の左右フレーム９に対して第１枢結手段１１と第２枢結手段１２により枢着することにより枢結手段４を構成している。図示実施形態の場合、左右フレーム９に直角三角形状の金属板から成るブラケット１５が固着され、該ブラケット１５に軸部材を軸支することにより、前記第１枢結手段１１と第２枢結手段１２を構成している。
【００２５】
この際、第１枢結手段１１の枢軸位置Ｐ１と第２枢結手段１２の枢軸位置Ｐ２は、左右フレーム９の延長方向に関して、所定間隔Ｌ１をあけて離間し、左右フレーム９に交差する方向に関して、所定間隔Ｌ２をあけて離間するように配置されている。従って、枢軸位置Ｐ１は、枢軸位置Ｐ２よりも左右フレーム９から所定距離Ｌ２だけ離間しており、両脚体２、３を開脚した状態で、枢軸位置Ｐ１が枢軸位置Ｐ２よりも前記距離Ｌ２だけ下位となるように構成されている。
【００２６】
図示実施形態の場合、ブラケット１５は、左右フレーム９の外側面に固着され、延長柱部２ｂ、３ｂの上端部の内側に臨むように配置されている。図示のように、第１脚体２の延長柱部２ｂの上端部は、前記所定距離Ｌ２に相当して、第２脚体３の延長柱部３ｂの上端部よりも短くなるように形成され、それぞれの延長柱部２ｂ、３ｂの上端に固着した軸受ブラケット１３、１４を前記ブラケット１５に軸着することにより、第１枢結手段１１と第２枢結手段１２を構成している。
【００２７】
図示実施形態では、１枚の金属板から成るブラケット１５を介して第１枢結手段１１と第２枢結手段１２を構成しているが、このようなブラケット１５の構成に限定されるものではなく、上記所定間隔Ｌ１及びＬ２を可能とする手段であれば良い。尚、図示実施形態のように、ブラケット１５により、第１枢結手段１１と第２枢結手段１２を連結一体化した構成とする場合は、枠体６は、必ずしも設けなくても良い。
【００２８】
上記構成の結果、図３（Ａ）に示すように両脚体２、３を開脚した状態から、第１脚体２を直立姿勢となるように姿勢変更させると、延長支柱部２ｂの上端部が第１枢結手段１１を介してブラケット１５を押し上げるので、該ブラケット１５及び左右フレーム９が第２枢結手段１２を支点として回動させられる。従って、両脚体２、３を閉脚させると、図３（Ｂ）に示すように、左右フレーム９と一対の延長柱部２ｂ、３ｂが相互に平行な鉛直姿勢となるように折り畳まれる。
【００２９】
この際、左右フレーム９を第２脚体３の延長柱部３ｂの内側に位置させ、第２枢結手段１２の枢軸Ｐ２を左右フレーム９の中心軸線と延長柱部３ｂの中心軸線の交点に配置した構成とすれば、図３（Ｂ）に示すように、左右フレーム９が第２脚体３の延長柱部３ｂの内側に重なって内嵌され、コンパクトな折り畳みを可能にする。
【００３０】
折り畳み状態において、第１枢結手段１１の枢軸位置Ｐ１は、第２枢結手段１２の枢軸位置Ｐ２よりも、前記所定間隔Ｌ１に相当して、上位に位置している。従って、折り畳まれた脚立式作業台１は、第２脚体３の下端部を接地した状態で、第１脚体２の下端部は地面から浮き上がることになる。そこで、図示実施形態の場合、両脚体２、３の開閉作業と操作性を良好にするため、両脚体２、３の間で相互に対向する延長支柱部２ｂ、３ｂの相互を回動自在に連結するリンクアーム１６が設けられている（図１及び図２参照）。
【００３１】
第１脚体２と第２脚体３に架設された前記床天板５は、両脚体２、３の開脚動作及び閉脚動作に連動して該床天板５を横向き姿勢と縦向き姿勢の間で姿勢変更する連動機構１７を設けており、該連動機構１７は、床天板５の基端部と第１脚体２を相互に横軸廻りに回動自在に枢着する枢着手段１８と、該床天板５と第２脚体３を相互に移動自在に連結する移動連結手段１９を構成している。床天板５の横向き姿勢は、水平姿勢とすることが好ましく、縦向き姿勢は、鉛直姿勢とすることが好ましい。
【００３２】
尚、図示実施形態の場合、第１脚体２により昇降脚２Ａを構成し、第２脚体３により非昇降脚３Ａを構成しているが、反対となるように構成しても良い。
【００３３】
図４ないし図６に示すように、前記枢着手段１８は、床天板５の基端部の両側面から下向きに枢支ブラケット２０、２０を延設し、該枢支ブラケット２０を第１脚体２の支柱２ａの内側に固着された軸支ブラケット２１に枢軸２２を介して軸着している。この際、図５に示すように、床天板５の側面中心を延びる軸線から枢軸２２の中心に至る垂線により規定される枢支ブラケット２０の回転半径Ｒは、上記の第１枢結手段１１と第２枢結手段１２の所定距離Ｌ２と等しくなるように構成することが好ましい。
【００３４】
図示実施形態の場合、前記枢支ブラケット２０と軸支ブラケット２１の相互には、床天板５を水平姿勢としたときに当接される凹凸を構成する凹部２３とピン２４を設けることが好ましい。
【００３５】
前記移動連結手段１９は、床天板５の両側面に設けたガイド手段２５と、第２脚体３の支柱３ａ、３ａの内側に設けた軸手段２６を備え、第１脚体２と第２脚体３を開閉する際、床天板５と第２脚体３の交差角度の変化に追従して、前記軸手段２６をガイド手段２５に沿って移動させるように構成している。
【００３６】
図示実施形態の場合、前記ガイド手段２５は、床天板５の側面に沿って延設したスリットから成るガイド溝２５ａにより形成され、前記軸手段２６は、第２脚体３の支柱３ａの内側に固着された支持ブラケット２７から突設したガイドピン２６ａにより形成されており、該ガイドピン２６ａをガイド溝２５ａに回動自在かつスライド自在に挿通することにより、支柱３ａと床天板５の交点を移動自在に連結している。
【００３７】
従って、前記軸手段２６とガイド手段２５は、第１脚体２と第２脚体３を閉脚したとき、軸手段２６をガイド手段２５の基端部（床天板５の基端部に臨む端部）に向けて移動することにより、枢着手段１８を支点として床天板５を鉛直姿勢に向けて回動させ、両脚体２、３を開脚したとき、軸手段２６をガイド手段２５の先端部（床天板５の自由端部に臨む端部）に向けて移動することにより、枢着手段１８を支点として床天板５を水平姿勢に向けて回動させるように構成されている。
【００３８】
床天板５は、先端部にロック手段２８を設けており、これに対応して、第２脚体３に第１係止手段２９が設けられ、第１脚体２に第２係止手段３０が設けられている。前記ロック手段２８は、床天板５を水平姿勢としたとき前記第１係止手段２９に係脱自在に係止し、床天板５を鉛直姿勢としたとき前記第２係止手段３０に係脱自在に係止するように構成されている。
【００３９】
図示実施形態の場合、前記ロック手段２８は、床天板５の側面下方から進退自在に突出する係止突部３１ａを備えたロッド３１と、該ロッド３１を摺動自在に支持する支持手段３２により構成され、常時は前記係止突部３１ａを突出方向に付勢するスプリング３３を設けており、前記ロッド３１の尾端部を下向きに折曲することにより操作部３１ｂを形成している。
【００４０】
床天板５は、下面に前記支持手段３２を固着することにより、該下面の両側に一対のロック手段２８、２８を配置しており、前記スプリング３３により付勢されたロッド３１の係止突部３１ａを該床天板５の下側から側方に突出させている。尚、一対のロック手段２８、２８の操作部３１ｂ、３１ｂは、作業者が片手で同時に引き寄せ可能な間隔をあけて配置され、該操作部３１ｂによりロッド３１を移動させることにより、前記係止突部３１ａを後退させる。
【００４１】
前記第１係止手段２９は、第２脚体３の支柱３ａに設けた支持ブラケット２７の係止孔２９ａにより構成され、第１脚体２と第２脚体３を開脚することにより床天板５を水平姿勢としたとき、前記ロック手段２８の係止突部３１ａを該係止孔２９ａに挿入させ、床天板５を回動不能に係止固定する。
【００４２】
前記第２係止手段３０は、第１脚体２の踏桟７に設けた一対の突片３４、３４の係止孔３０ａにより構成され、第１脚体２と第２脚体３を閉脚することにより床天板５を鉛直姿勢としたとき、前記ロック手段２８の係止突部３１ａを該係止孔３０ａに挿入させ、床天板５を回動不能に係止固定する。
【００４３】
このように両脚体２、３を閉脚すると共に床天板５を鉛直姿勢としたとき、前記支持手段３２と突片３４は、図６（Ｂ）に示すように、相互に係止した係止突部３１ａと係止孔３０ａを両脚体２、３の間に位置させ、両脚体２、３の中心を延びる軸線の間隔Ｓを上記の第１枢結手段１１と第２枢結手段１２の所定距離Ｌ２と等しくなるように構成することが好ましい。
【００４４】
図５及び図６に連動機構１７の作用を示している。第１脚体２と第２脚体３を開脚したとき、図５（Ａ）に示すように、両脚体２、３が広がることにより、軸手段２６がガイド手段２５の先端部に向けて移動し、枢着手段１８を支点として床天板５を水平姿勢に向けて回動させ、枢支ブラケット２０の凹部２３が軸支ブラケット２１のピン２４に当接することにより、床天板５を水平姿勢に保持する。この状態で、床天板５は、基端部を枢軸２２により支持され、先端部をガイドピン２６ａにより支持されており、作業者の荷重を好適に支持できるが、安全のため、ロック手段２８が第１係止手段２９に係止される。
【００４５】
前記係止孔２９ａから成る第１係止手段２９を設けた支持ブラケット２７は、図４に示すように、係止孔２９ａに向かう傾斜壁面によりガイド面２７ａを形成しており、これにより、床天板５を水平姿勢となるように回動したとき、ロッド３１の係止突部３１ａをガイド面２７ａに沿って摺動させることにより後退させ、該係止突部３１ａが係止孔２９ａに臨んだとき、スプリング３３により該係止孔２９ａに自動的に挿入させるように構成することが好ましい。
【００４６】
両脚体２、３を開脚した状態で、ロック手段２８を第１係止手段２９に係止固定すると、床天板５は、回動不能状態で両脚体２、３を連結する。従って、これにより、両脚体２、３は、閉脚不能状態に固定保持されるので、作業者の高所作業の安全性が確保される。
【００４７】
開脚状態から第１脚体２と第２脚体３を閉脚するときは、一対の操作部３１ｂ、３１ｂを引き寄せて係止突部３１ａを係止孔２９ａから後退させることにより、ロック手段２８と第１係止手段２９の係止を解除した後、上述のように第１脚体２を持ち上げながら閉脚すれば良い。これにより、図６（Ａ）に示すように、相対的に、第１脚体２が上向き移動し、第２脚体３が下向き移動しながら、相互の間隔を狭めると共に、床天板５に設けたガイド溝２５ａと第２脚体３の交差角度を変化させるので、ガイドピン２６ａがガイド溝２５ａの基端部に向けて移動しつつ、該ガイド溝２５ａを押動することにより、床天板５を鉛直姿勢に向けて下向きに回動する。
【００４８】
前記係止孔３０ａから成る第２係止手段３０を設けた突片３４は、図４に示すように、係止孔３０ａに向かう傾斜壁面によりガイド面３４ａを形成しており、これにより、床天板５を鉛直姿勢となるように回動したとき、ロッド３１の係止突部３１ａをガイド面３４ａに沿って摺動させることにより後退させ、該係止突部３１ａが係止孔３０ａに臨んだとき、スプリング３３により該係止孔３０ａに自動的に挿入させるように構成することが好ましい。
【００４９】
両脚体２、３を閉脚した状態で、ロック手段２８を第２係止手段３０に係止固定すると、床天板５は、回動不能状態で両脚体２、３を連結する。従って、これにより、両脚体２、３は、開脚不能状態に固定保持されるので、折り畳んだ脚立式作業台を作業者が運搬する際、両脚体２、３が不慮に開脚するおそれはない。
【００５０】
枢結手段４を構成する第１枢結手段１１と第２枢結手段１２に関して上述したように、閉脚状態において、第１脚体２の延長柱部２ｂを含む支柱２ａと、第２脚体３の延長柱部３ｂを含む支柱３ａは、枠体６の左右フレーム９を前記延長柱部３ｂ、３ｂに重ねて内嵌させた状態で、所定距離Ｌ２を介して平行な鉛直姿勢となるように折り畳まれる。このような両脚体２、３のコンパクトな折り畳みに応じて、床天板５の連動機構１７は、上述のように、枢支ブラケット２０の回転半径Ｒと、ロック手段２８の支持手段３２と第２係止手段３０の突片３４により形成される間隔Ｓを、前記所定距離Ｌ２と等しくするように構成している。従って、図６（Ｂ）に示すように、床天板５の基端部が前記回転半径の上で縦向き姿勢とされ、先端部が前記間隔Ｓを保持する縦向き姿勢とされるので、床天板５は、全体が鉛直姿勢とされると共に、第２脚体３の支柱３ａ、３ａに重ねて内嵌させられ、コンパクトに格納される。
【００５１】
閉脚状態から第１脚体２と第２脚体３を開脚する場合は、一対の操作部３１ｂ、３１ｂを引き寄せて係止突部３１ａを係止孔３０ａから後退させることにより、ロック手段２８と第２係止手段３０の係止を解除した後、両脚体２、３を広げれば良い。これにより、両脚体２、３が相互の間隔を広げると共に、床天板５に設けたガイド溝２５ａと第２脚体３の交差角度を変化させるので、ガイドピン２６ａがガイド溝２５ａの先端部に向けて移動しつつ、該ガイド溝２５ａを押動することにより、床天板５を水平姿勢に向けて上向きに回動する。
【００５２】
図示実施形態の場合、前記ロック手段２８を進退自在なロッド３１の係止突部３１ａにより構成し、第１係止手段２９及び第２係止手段３０をそれぞれ係止孔２９ａ、３０ａにより構成しているが、反対の構成、つまり、ロック手段２８を係止孔により構成し、第１係止手段２９及び第２係止手段３０をそれぞれ前記係止孔に係脱自在に係止する係止突部により構成しても良い。
【００５３】
上記のように構成した脚立式作業台１を開脚状態から閉脚する作業手順と作用を図７に示している。図７（Ａ）に示す開脚状態から閉脚作業を行う際は、先ず、第１脚体２の上端部を上昇させる。例えば、図７（Ｂ）に示すように、第１脚体２を直立姿勢とすれば、上端部を簡単に上昇させることができる。これにより、第２脚体３は、第１脚体２に対して相対的に下降するので、上述のように枠体６の左右フレーム９が回動を開始すると共に、床天板５がガイドピン２６ａの摺動により回動を開始する。そこで、図７（Ｃ）に示すように第２脚体３を接地させると共に第１脚体２を持ち上げると、上述のように、両脚体２、３が平行姿勢となるように閉脚され、枠体６が第２脚体３の支柱３ａ、３ａの間に格納され、床天板５が第２脚体３の支柱３ａ、３ａの間に格納されることにより、図７（Ｄ）に示すようなコンパクトな折り畳み状態が得られる。脚立式作業台１を閉脚状態から開脚する場合は、前記と反対の作業手順を行えば良い。
【００５４】
従って、脚立式作業台１は、開脚状態から閉脚するときは、単に第１脚体２を直立姿勢となるように姿勢変更すると共に、第２脚体３を接地させるだけで良く、反対に、閉脚状態から開脚するときは、浮き上がった状態の第１脚体２を引き下げながら両脚体２、３を開かせるだけで良く、何れの作業もワンタッチで簡単容易に行うことができる。
【００５５】
この際、作業者が手で握持することにより操作を行う第１脚体２は、上述のように昇降脚２Ａを構成しているので、更に作業が容易となる。即ち、開脚に際して、作業者は、第１脚体２（昇降脚２Ａ）の正面側から開脚作業を行い、開脚後は、開脚作業位置から直ちに上方の作業空間に昇ることができる。また、閉脚に際して、作業者は、作業空間から第１脚体２（昇降脚２Ａ）を経て地上に下りた後、その位置から直ちに閉脚作業を行うことができる。
［別の実施形態］
【００５６】
両脚体２、３の開閉機構に関して、図示実施形態のように第１枢結手段１１の枢軸位置Ｐ１と第２枢結手段１２の枢軸位置Ｐ２を所定間隔Ｌ１及び所定間隔Ｌ２の条件に基づいて配置し、ブラケット１５又は左右フレーム９により連結する構成とすることが好ましいが、本発明が目的とする床天板５の連動機構１７は、このような開閉機構とは異なる枢結手段４により両脚体２、３を枢結した脚立式作業台にも適用することが可能である。
【００５７】
図示実施形態の場合、床天板５の連動機構１７は、開脚時に水平姿勢を保持する床天板５を閉脚時に下向きに回動させる例を示したが、水平姿勢から上向きに回動させることにより折り畳むように構成しても良く、この場合、枢着手段１８を構成する枢支ブラケット２０を床天板５の基端部から上向きに延設すれば良く、第２係止手段３０を第１脚体２の上方位置に設ければ良い。
【００５８】
また、ガイド手段２５と軸手段２６は、図示実施形態とは反対の構成とし、軸手段２６を床天板５の先端部の両側に設け、ガイド手段２５を第２脚体３の支柱３ａ、３ａに沿って設けても良い。
【００５９】
更に、ガイドピン２６ａから成る軸手段２６は、図示実施形態のように第２脚体３の支柱３ａと床天板５の交点に配置する他、ブラケット等を介して交点から外れた位置に設けても良い。
【符号の説明】
【００６０】
１  脚立式作業台
２  第１脚体
２Ａ  昇降脚
２ａ  支柱
２ｂ  延長支柱部
３  第２脚体
３Ａ  非昇降脚
３ａ  支柱
３ｂ  延長支柱部
４  枢結手段
５  床天板
６  枠体
７  踏桟
８  連結桟
９  左右フレーム
１０  交差フレーム
１１  第１枢結手段
１２  第２枢結手段
１３、１４  軸受ブラケット
１５  ブラケット
１６  リンクアーム
１７  連動機構
１８  枢着手段
１９  移動連結手段
２０  枢支ブラケット
２１  軸支ブラケット
２２  枢軸
２３  凹部
２４  ピン
２５  ガイド手段
２５ａ  ガイド溝
２６  軸手段
２６ａ  ガイドピン
２７  支持ブラケット
２７ａ  ガイド面
２８  ロック手段
２９  第１係止手段
２９ａ  係止孔
３０  第２係止手段
３０ａ  係止孔
３１  ロッド
３１ａ  係止突部
３１ｂ  操作部
３２  支持手段
３３  スプリング
３４  突片
３４ａ  ガイド面
【図１】
2015067980.tif 000003
【図２】
2015067980.tif 000004
【図３】
2015067980.tif 000005
【図４】
2015067980.tif 000006
【図５】
2015067980.tif 000007
【図６】
2015067980.tif 000008
【図７】
2015067980.tif 000009